(57)【特許請求の範囲】
【請求項１】
Ｒ型受信機，Ｐ型受信機のいずれの型の受信機にも接続可能な感知器であって、該感知器は、該感知器を受信機と接続した後の初期設定時の所定期間内に、接続されている受信機からＲ型の信号を受信したか否かを検出し、初期設定時の所定期間内にＲ型の信号を受信した場合には、接続されている受信機がＲ型受信機であると判別して、アナログ型感知器としての作動を行ない、また、初期設定時の所定期間内にＲ型の信号を受信しない場合には、接続されている受信機がＰ型受信機であると判別して、オン・オフ型感知器としての作動を行なうようになっていることを特徴とする感知器。
【請求項２】
所定の物理量を検知する検知部と、全体を制御する制御部と、接続される受信機がＲ型受信機である場合、Ｒ型受信機との間での情報の伝送の制御を行なう伝送制御部と、受信機に接続される端子間のインピーダンスを制御するインピーダンス制御部とを有している感知器であって、該感知器を受信機と接続した後の初期設定時の所定期間内に、前記制御部は、接続されている受信機からＲ型の信号を受信したか否かを検出し、初期設定時の所定期間内にＲ型の信号を受信した場合には、接続されている受信機がＲ型受信機であると判別して、受信機に接続される端子間のインピーダンスを高インピーダンスに保持し、検知部による検知信号を伝送制御部から受信機に伝送することで該感知器をアナログ型感知器として作動させ、また、初期設定時の所定期間内にＲ型の信号を受信しない場合には、接続されている受信機がＰ型受信機であると判別し、検知部による検知信号が所定物理量以上となったか否かに応じて受信機に接続される端子間のインピーダンスをインピーダンス制御部により制御することで該感知器をオン・オフ型感知器として作動させるようになっていることを特徴とする感知器。
【請求項３】
請求項２記載の感知器において、前記制御部は、接続されている受信機がＰ型受信機であると判別した場合において、検知部による検知信号が所定物理量以下であるときには受信機に接続される端子間のインピーダンスをインピーダンス制御部により高インピーダンスのレベルＬ１に保持する一方、検知部による検知信号が所定物理量以上であるときには受信機に接続される端子間のインピーダンスをインピーダンス制御部により低インピーダンスのレベルＬ２にすることを特徴とする感知器。
【請求項４】
請求項２または請求項３記載の感知器において、前記制御部は、さらに検知部の故障信号を受信機に通知する機能を有し、この場合、受信機がＲ型受信機に接続されていると判別したときには、検知部の故障信号を伝送制御部から受信機に伝送し、また、受信機がＰ型受信機に接続されていると判別したときには、検知部の故障信号を受信機に接続される端子間のインピーダンスを制御して受信機に通知することを特徴とする感知器。
【請求項５】
請求項４記載の感知器において、前記制御部は、受信機がＰ型受信機に接続されていると判別した場合において、検知部による検知信号が所定物理量以下であるときには受信機に接続される端子間のインピーダンスをインピーダンス制御部により高インピーダンスのレベルＬ１に保持する一方、検知部による検知信号が所定物理量以上であるときには受信機に接続される端子間のインピーダンスをインピーダンス制御部により低インピーダンスのレベルＬ２にし、また、検知部の故障信号については、受信機に接続される端子間のインピーダンスをインピーダンス制御部によりレベルＬ１，Ｌ２とは異なるレベルＬ３のものにすることでＰ型受信機に通知することを特徴とする感知器。
【発明の詳細な説明】
【０００１】
【発明の属する技術分野】
本発明は、煙、熱あるいはガスなどを検知する感知器に関する。
【０００２】
【従来の技術】
従来、Ｐ型受信機にＳ+，Ｓ-線路を介してオン・オフ型感知器が接続され、オン・オフ型感知器が所定の物理量以上の物理量を感知したときにＳ+，Ｓ-線路のインピーダンスを低インピーダンスにして（オン状態にして）Ｐ型受信機に通知するＰ型システムと、Ｒ型受信機にＬ，Ｃ線路を介してアナログ型感知器が接続され、Ｒ型受信機から所定のアナログ型感知器が例えばアドレスポーリングによって呼び出されると、このアナログ型感知器は感知した物理量をＬ，Ｃ線路を介してＲ型受信機に返送するＲ型システムとが知られている。
【０００３】
従って、従来、システムを構築する際には、そのシステムに応じた専用の感知器を用意しなければならなかった。すなわち、受信機がＰ型のものであって、Ｐ型システムを構築する場合には、Ｐ型受信機に接続される感知器の種類として、オン・オフ型感知器を用意しなければならない。また、受信機がＲ型のものであって、Ｒ型システムを構築する場合には、Ｒ型受信機に接続される感知器の種類として、アナログ型感知器を用意しなければならない。
【０００４】
このような問題を解決するため、当業者間には、Ｐ型システム，Ｒ型システムのいずれにも共用可能な感知器が望まれており、例えば特開平１０−３２６３９０号には、オン・オフ型出力とアナログ型出力とを切替え設定スイッチによって切り替え可能な感知器が示されている。この感知器によれば、これをＰ型受信機に接続するときには、切替え設定スイッチによってこの感知器をオン・オフ型出力のものに切り替え、また、Ｒ型受信機に接続するときには、切替え設定スイッチによってこの感知器をアナログ型出力のものに切り替えることにより、この感知器をＰ型システム，Ｒ型システムのいずれにも使用することができる。
【０００５】
【発明が解決しようとする課題】
しかしながら、上述の感知器では、１つの感知器をオン・オフ型，アナログ型のいずれかに設定するのに（Ｐ型受信機，Ｒ型受信機のいずれかに接続するのに）、切り替えスイッチを操作しなければならない（手動操作が必要である）という問題があった。
【０００６】
本発明は、手動による切り替え操作を何ら必要とすることなく、Ｐ型受信機，Ｒ型受信機のいずれにも接続可能な感知器を提供することを目的としている。
【０００７】
【課題を解決するための手段】
上記目的を達成するために、請求項１記載の発明は、Ｒ型受信機，Ｐ型受信機のいずれの型の受信機にも接続可能な感知器であって、該感知器は、該感知器を受信機と接続した後の初期設定時の所定期間内に、接続されている受信機からＲ型の信号を受信したか否かを検出し、初期設定時の所定期間内にＲ型の信号を受信した場合には、接続されている受信機がＲ型受信機であると判別して、アナログ型感知器としての作動を行ない、また、初期設定時の所定期間内にＲ型の信号を受信しない場合には、接続されている受信機がＰ型受信機であると判別して、オン・オフ型感知器としての作動を行なうようになっていることを特徴としている。
【０００８】
また、請求項２記載の発明は、所定の物理量を検知する検知部と、全体を制御する制御部と、接続される受信機がＲ型受信機である場合、Ｒ型受信機との間での情報の伝送の制御を行なう伝送制御部と、受信機に接続される端子間のインピーダンスを制御するインピーダンス制御部とを有している感知器であって、該感知器を受信機と接続した後の初期設定時の所定期間内に、前記制御部は、接続されている受信機からＲ型の信号を受信したか否かを検出し、初期設定時の所定期間内にＲ型の信号を受信した場合には、接続されている受信機がＲ型受信機であると判別して、受信機に接続される端子間のインピーダンスを高インピーダンスに保持し、検知部による検知信号を伝送制御部から受信機に伝送することで該感知器をアナログ型感知器として作動させ、また、初期設定時の所定期間内にＲ型の信号を受信しない場合には、接続されている受信機がＰ型受信機であると判別し、検知部による検知信号が所定物理量以上となったか否かに応じて受信機に接続される端子間のインピーダンスをインピーダンス制御部により制御することで該感知器をオン・オフ型感知器として作動させるようになっていることを特徴としている。
【０００９】
また、請求項３記載の発明は、請求項２記載の感知器において、制御部は、接続されている受信機がＰ型受信機であると判別した場合において、検知部による検知信号が所定物理量以下であるときには受信機に接続される端子間のインピーダンスをインピーダンス制御部により高インピーダンスのレベルＬ1に保持する一方、検知部による検知信号が所定物理量以上であるときには受信機に接続される端子間のインピーダンスをインピーダンス制御部により低インピーダンスのレベルＬ2にすることを特徴としている。
【００１０】
また、請求項４記載の発明は、請求項２または請求項３記載の感知器において、制御部は、さらに検知部の故障信号を受信機に通知する機能を有し、この場合、受信機がＲ型受信機に接続されていると判別したときには、検知部の故障信号を伝送制御部から受信機に伝送し、また、受信機がＰ型受信機に接続されていると判別したときには、検知部の故障信号を受信機に接続される端子間のインピーダンスを制御して受信機に通知することを特徴としている。
【００１１】
また、請求項５記載の発明は、請求項４記載の感知器において、制御部は、受信機がＰ型受信機に接続されていると判別した場合において、検知部による検知信号が所定物理量以下であるときには受信機に接続される端子間のインピーダンスをインピーダンス制御部により高インピーダンスのレベルＬ1に保持する一方、検知部による検知信号が所定物理量以上であるときには受信機に接続される端子間のインピーダンスをインピーダンス制御部により低インピーダンスのレベルＬ2にし、また、検知部の故障信号については、受信機に接続される端子間のインピーダンスをインピーダンス制御部によりレベルＬ1，Ｌ2とは異なるレベルＬ3のものにすることでＰ型受信機に通知することを特徴としている。
【００１２】
【発明の実施の形態】
以下、本発明の実施形態を図面に基づいて説明する。図１は本発明に係る感知器の構成例を示す図である。図１を参照すると、この感知器１０は、所定の物理量として例えば煙濃度を検知する検知部（センサ）１と、感知器１０全体を制御する制御部２と、接続される受信機がＲ型受信機である場合、Ｒ型受信機との間での情報の伝送の制御を行なう伝送制御部３と、受信機に接続される端子間（２つの端子Ｔ1，Ｔ2間）のインピーダンスを制御するインピーダンス制御部４とを有している。
【００１３】
ここで、伝送制御部３は、図１の例では、端子Ｔ1，Ｔ2からの入力信号についての処理を行なう入力信号処理部１１と、端子Ｔ1，Ｔ2への出力信号についての処理を行なう出力信号処理部１２とを有し、伝送制御部３の入力信号処理部１１には、この感知器１０のアドレスが設定可能となっている。
【００１４】
すなわち、図１の構成例では、感知器１０は、基本的には、アナログ型感知器の構成となっており、図２に示すように、端子Ｔ1，Ｔ2がＲ型受信機５１からのＬ，Ｃ線路に接続されるとき、Ｒ型受信機５１から呼び出され、また、Ｒ型受信機５１との間でデータをシリアルに伝送（入出力）する機能を有している。
【００１５】
具体的に、この感知器１０の端子Ｔ1，Ｔ2が例えばアドレスポーリング方式のＲ型受信機５１のＬ，Ｃ線路に接続され、Ｒ型受信機５１からアドレスポーリングされるとき、伝送制御部３の入力信号処理部１１は、これに予め設定されているアドレスとＲ型受信機５１から伝送されたアドレスとを比較し、これらが一致したときには一致パルスＣＰを制御部２に与え、また、Ｒ型受信機５１から送られたデータ(例えばコマンド等)を制御部２にデータＤＩとして与えるようになっている。また、この感知器１０の制御部２は、伝送制御部３の入力信号処理部１１から一致パルスＣＰを受け、また、データＤＩとして例えば検知データ送出コマンドを受けたとき、検知部１で検知された物理量（例えば煙濃度）をデータＤＯとして伝送制御部３の出力信号処理部１２に与え、伝送制御部３の出力信号処理部１２は、制御部２からのデータＤＯを端子Ｔ1，Ｔ2を介してＲ型受信機５１に返送するようになっている。
【００１６】
ここで、一致パルスＣＰは、この感知器１０をアナログ型感知器として使用するための正しいアドレスがこの感知器１０に予め設定され、この感知器１０がアドレスポーリング方式のＲ型受信機に接続されている場合には、Ｒ型受信機からのポーリング周期（Ｒ型受信機からのＬ，Ｃ線路に例えばｍ個のアナログ型感知器が接続されているとする場合、Ｒ型受信機が１番目の感知器からｍ番目の感知器までを順次にアドレスポーリングし、再び１番目の感知器をアドレスポーリングするまでの周期を１ポーリング周期と呼ぶ）内で必ず発生するものである。従って、制御部２は、所定のポーリング周期内において一致パルスＣＰが検出されたときには、この感知器１０が接続されている受信機をＲ型受信機とみなし、この感知器１０をアナログ型感知器とみなして上記のようなアナログ型感知器としての処理を行なうようになっている。なお、この場合、インピーダンス制御部４への制御部２からの作動信号ＯＰは、常にロウレベルであり、インピーダンス制御部４は、端子Ｔ1，Ｔ2間を常に高インピーダンスの状態（レベルＬ1の状態）に保持している。
【００１７】
これに対し、この感知器１０の端子Ｔ1，Ｔ2が、図３に示すようにＰ型受信機５２のＳ+，Ｓ-線路に接続されている場合には、伝送制御部３の入力信号処理部１１において一致パルスＣＰは発生しない。そこで、制御部２は、所定のポーリング周期内において一致パルスＣＰが検出されないときには、この感知器１０が接続されている受信機をＰ型受信機とみなし、この感知器１０をオン・オフ型感知器とみなしてオン・オフ型感知器としての処理を行なうようになっている。すなわち、制御部２は、検知部１で検知された物理量（例えば煙濃度）が所定量（所定濃度）以下である場合には、インピーダンス制御部４への作動信号ＯＰをロウレベルの状態にし、ロウレベルの作動信号ＯＰの入力により、インピーダンス制御部４は、端子Ｔ1，Ｔ2間を高インピーダンスの状態（レベルＬ1の状態）に保持する一方、検知部１で検知された物理量（例えば煙濃度）が所定量（所定濃度）以上となった場合には、インピーダンス制御部４への作動信号ＯＰをハイレベルの状態にし、ハイレベルの作動信号ＯＰの入力により、インピーダンス制御部４は、端子Ｔ1，Ｔ2間を低インピーダンスの状態（レベルＬ2の状態）にするようになっている。
【００１８】
このように、感知器１０が図３に示すようにＰ型受信機５２に接続される場合には、一致パルスＣＰは発生せず、この場合、この感知器１０は、接続されている受信機５２がＰ型受信機であるとみなし、検知した物理量が所定量以下であるときにはＰ型受信機５２のＳ+，Ｓ-線路間のインピーダンスを高インピーダンスに保持して、オフ状態にあることをＰ型受信機５２に通知し、検知した物理量が所定量以上のときにはＰ型受信機５２のＳ+，Ｓ-線路間のインピーダンスを低インピーダンスにして、オン状態にあることをＰ型受信機５２に通知するというように、オン・オフ型感知器として作動する。
【００１９】
図４は感知器１０の制御部２における受信機種別判定処理の流れを示すフローチャートである。図４を参照すると、制御部２は、先ず、時間を計時するタイマカウンタＣＮＴを“０”に初期設定し（ステップＳ１）、しかる後、タイマカウンタＣＮＴに所定の期間ｎ（例えば、Ｒ型受信機における１ポーリング周期）を計時させる（ステップＳ３，Ｓ４）。そして、この所定の期間ｎ内に一致パルスＣＰが発生したか否かを判断し（ステップＳ２）、所定の期間ｎ内に一致パルスＣＰを検出したときには、この感知器１０が接続されている受信機がＲ型受信機であると判断する（ステップＳ５）。
【００２０】
これに対し、ステップＳ４において所定の期間ｎが経過し、所定の期間ｎ内に一致パルスＣＰを検出しないときには、この感知器１０が接続されている受信機がＰ型受信機であると判断する（ステップＳ６）。
【００２１】
このように、上述の例では、所定の期間ｎ内における一致パルスＣＰの有無により、接続されている受信機の種別がＲ型かＰ型かを自動的に判別し、この感知器１０をアナログ型感知器として作動させるかオン・オフ型感知器として作動させるかを、手動による切り替え操作によらずに、接続されている受信機の種別に応じて自動的に切り替えることができる。
【００２２】
なお、上述の例では、所定の期間ｎ内における一致パルスＣＰの有無により、接続されている受信機の種別がＲ型かＰ型かを自動的に判別したが、Ｒ型システムに特有の信号（以下、Ｒ型の信号と称する）であれば、アドレスの一致パルスＣＰに限らず、任意の信号を受信機種別の判定に用いることができる。具体的に、Ｒ型の信号として、一致パルスＣＰの他に、例えば、Ｒ型受信機にデータを送出したときにＲ型受信機から返送されるＡＣＫ信号あるいはＮＡＫ信号を用いることもできるし、あるいは、Ｒ型受信機からの伝送信号（例えばコマンド信号）を用いることもできる。
【００２３】
図５はＲ型の信号としてＡＣＫ信号あるいはＮＡＫ信号を用いる場合の制御部２における受信機種別判定処理の流れを示すフローチャートである。図５を参照すると、受信機に向けてデータを出力した後（ステップＳ１１）、制御部２は、時間を計時するタイマカウンタＣＮＴを“０”に初期設定し（ステップＳ１２）、しかる後、タイマカウンタＣＮＴに所定の期間ｋ（例えば、受信機にデータを出力した後、これに対する応答信号，すなわちＡＣＫ信号あるいはＮＡＫ信号が受信機から返送されるのに十分な期間）を計時させる（ステップＳ１４，Ｓ１５）。そして、この所定の期間ｋ内にＡＣＫ信号あるいはＮＡＫ信号が受信機から返送されたか否かを判断し（ステップＳ１３）、所定の期間ｋ内にＡＣＫ信号あるいはＮＡＫ信号の応答信号を検出したときには、この感知器１０が接続されている受信機がＲ型受信機であると判断する（ステップＳ１６）。
【００２４】
これに対し、所定の期間ｋ内にＡＣＫ信号あるいはＮＡＫ信号の応答信号を検出しないときには、この感知器１０が接続されている受信機がＰ型受信機であると判断する（ステップＳ１７）。
【００２５】
このように、図５の例では、受信機にデータを送出した後、所定期間ｋ内における受信機からの応答信号の有無により、接続されている受信機の種別がＲ型かＰ型かを自動的に判別し、この感知器１０をアナログ型感知器として作動させるかオン・オフ型感知器として作動させるかを、手動による切り替え操作によらずに、接続させている受信機の種別に応じて自動的に切り替えることができる。
【００２６】
また、図６はＲ型の信号として伝送信号（例えばコマンド信号等）を用いる場合の制御部２における受信機種別判定処理の流れを示すフローチャートである。図６を参照すると、制御部２は、時間を計時するタイマカウンタＣＮＴを“０”に初期設定し（ステップＳ２１）、しかる後、タイマカウンタＣＮＴに所定の期間ｊ（例えば、受信機からアドレス信号が送られてこれを受信した後、受信機からコマンド信号が送られてこれを受信するのに十分な期間）を計時させる（ステップＳ２３，Ｓ２４）。そして、この所定の期間ｊ内に伝送信号が受信機から返送されたか否かを判断し（ステップＳ２２）、所定の期間ｊ内に伝送信号を検出したときには、この感知器１０が接続されている受信機がＲ型受信機であると判断する（ステップＳ２５）。
【００２７】
これに対し、所定の期間ｊ内に伝送信号を検出しないときには、この感知器１０が接続されている受信機がＰ型受信機であると判断する（ステップＳ２６）。
【００２８】
このように、図６の例では、所定期間ｊ内における受信機からの伝送信号の有無により、接続されている受信機の種別がＲ型かＰ型かを自動的に判別し、この感知器１０をアナログ型感知器として作動させるかオン・オフ型感知器として作動させるかを、手動による切り替え操作によらずに、接続させている受信機の種別に応じて自動的に切り替えることができる。
【００２９】
上述の例では、検知部１において所定の物理量を検知した結果（検知信号）を感知器１０から受信機（Ｒ型またはＰ型）に送出するように構成されているが、さらに、これに加えて、接続されている受信機がＲ型，Ｐ型のいずれであっても、検知部１が故障しているときに（例えば、検知部１のセンサ素子の発振停止等の事態が生じたときに）、検知部１が故障している旨の信号（以下、故障信号と称す）を、接続されている受信機に通知するように感知器を構成することもできる。
【００３０】
図７は受信機に検知信号のみならず故障信号をも送出可能な感知器１０の構成例を示す図である。図７の構成例では、制御部２は、検知部１で検知された物理量（例えば煙濃度）に基づき検知部１が故障しているか否かをさらに判断するようになっている。例えば、検知部１で検知された物理量（例えば煙濃度）が所定期間以上、“０”に極めて近い状態である場合に、故障であると判断するようになっている。
【００３１】
そして、制御部２は、検知部１が故障していると判断したとき、接続されている受信機がＲ型受信機であることを前述の仕方で検知すると（この場合、インピーダンス制御部４には作動信号ＯＰ等が加わらず、端子Ｔ1，Ｔ2間は高インピーダンスの状態（レベルＬ1の状態）となっている）、伝送制御部３の出力信号処理部１２にデータＤＯとして故障信号を送出し、伝送制御部３の出力信号処理部１２は、高インピーダンスに保持されている端子Ｔ1，Ｔ2（すなわち、Ｌ，Ｃ線路）を介して故障信号をＲ型受信機に伝送するようになっている。
【００３２】
また、制御部２は、検知部１が故障していると判断したとき、接続されている受信機がＰ型受信機であることを前述の仕方で検知すると、インピーダンス制御部４に故障信号ＥＲを与えるようになっている。そして、インピーダンス制御部４は、故障信号ＥＲが加わると、端子Ｔ1，Ｔ2間のインピーダンスを前述したレベルＬ1，Ｌ2のインピーダンスとは異なるレベルＬ3のインピーダンス（例えば、レベルＬ1とレベルＬ2との間のレベルＬ3のインピーダンス）の状態にし、これにより、Ｓ+，Ｓ-線路を介して、Ｐ型受信機に故障である旨を通知するようになっている。
【００３３】
このように、図７の感知器は、Ｒ型受信機，Ｐ型受信機のいずれにも接続可能であって、Ｒ型受信機，Ｐ型受信機のいずれに接続されているかを検知でき、Ｒ型受信機に接続されているときには、検知部１による検知信号，検知部１の故障信号を伝送制御部３を介してＲ型受信機に伝送することができ、また、Ｐ型受信機に接続されているときには、検知部１による検知信号，検知部１の故障信号を端子Ｔ1，Ｔ2間のインピーダンスを所定のレベルＬ2，Ｌ3に低下させることでＰ型受信機に通知することができる。
【００３４】
なお、本発明において（上述した各説明において）、アナログ型感知器とは、アナログ信号，デジタル信号の別を問わず、Ｒ型受信機との間でＲ型の信号（情報）を伝送する機能（シリアル伝送を行なう機能）を有する感知器を広義に指すものとする。
【００３５】
また、上述の例では、検知部１は、物理量として煙濃度を検知するものであるとしたが、煙濃度に限らず、熱やガス等を検知するものであっても良い。換言すれば、本発明は、検知部１が任意の種類（光電式煙検知部，イオン式煙検知部，熱検知部，ガス検知部など）のものであっても良く、検知部１がどのような種類のものであっても、検知部１の種類にかかわらず、本発明を適用できる。
【００３６】
【発明の効果】
以上に説明したように、請求項１乃至請求項５記載の発明によれば、Ｒ型受信機，Ｐ型受信機のいずれにも接続可能な感知器であって、初期設定時の所定期間内に、接続されている受信機からＲ型の信号を受信したか否かを検出し、初期設定時の所定期間内にＲ型の信号を受信した場合には、接続されている受信機がＲ型受信機であると判別して、アナログ型感知器としての作動を行ない、また、初期設定時の所定期間内にＲ型の信号を受信しない場合には、接続されている受信機がＰ型受信機であると判別して、オン・オフ型感知器としての作動を行なうようになっているので、手動による切り替え操作を何ら必要とすることなく、Ｐ型受信機，Ｒ型受信機のいずれにも接続可能な感知器を提供することができる。
【００３７】
特に、請求項４，請求項５記載の発明によれば、制御部は、さらに検知部の故障信号を受信機に通知する機能を有し、この場合、受信機がＲ型受信機に接続されていると判別したときには、検知部の故障信号を伝送制御部から受信機に伝送し、また、受信機がＰ型受信機に接続されていると判別したときには、検知部の故障信号を受信機に接続される端子間のインピーダンスを制御して受信機に通知するので、手動による切り替え操作を何ら必要とすることなく、Ｐ型受信機，Ｒ型受信機のいずれにも接続可能であり、さらに、この場合、接続されている受信機がＲ型，Ｐ型のいずれであっても、検知部の故障信号を受信機に通知することができる。
【図面の簡単な説明】
【図１】本発明に係る感知器の構成例を示す図である。
【図２】図１の感知器をＲ型受信機に接続した状態を示す図である。
【図３】図１の感知器をＰ型受信機に接続した状態を示す図である。
【図４】Ｒ型の信号としてアドレス一致信号を用いる場合の制御部における受信機種別判定処理の流れを示すフローチャートである。
【図５】Ｒ型の信号としてＡＣＫ信号あるいはＮＡＫ信号を用いる場合の制御部における受信機種別判定処理の流れを示すフローチャートである。
【図６】Ｒ型の信号として伝送信号を用いる場合の制御部における受信機種別判定処理の流れを示すフローチャートである。
【図７】本発明に係る感知器の他の構成例を示す図である。
【符号の説明】
１          検知部
２          制御部
３          伝送制御部
４          インピーダンス制御部
１１        入力信号処理部
１２        出力信号処理部
５１        Ｒ型受信機
５２        Ｐ型受信機
【図１】
0003768047.tif 000002
【図２】
0003768047.tif 000003
【図３】
0003768047.tif 000004
【図４】
0003768047.tif 000005
【図５】
0003768047.tif 000006
【図６】
0003768047.tif 000007
【図７】
0003768047.tif 000008